(57)【特許請求の範囲】
【請求項１】
エンジン構成部材のエンジン燃焼室を構成する内壁に、セラミックスにより形成された断熱多孔質層と、
前記断熱多孔質層の表面に、セラミックスにより形成された表面緻密層と、
を含む断熱部材を備え、
さらに、前記エンジン構成部材の前記内壁と、前記断熱多孔質層との間に、前記断熱多孔質層と前記エンジン構成部材との中間の熱膨張係数を有し、前記断熱多孔質層と前記エンジン構成部材よりも低いヤング率の第二接合層を有する、エンジン燃焼室構造。
【請求項２】
前記表面緻密層は、開気孔率が５％以下であり、
前記断熱多孔質層は、前記表面緻密層の前記開気孔率よりも気孔率が大きい請求項１に記載のエンジン燃焼室構造。
【請求項３】
前記表面緻密層の厚さが前記断熱多孔質層の厚さの１〜５０％である請求項１または２に記載のエンジン燃焼室構造。
【請求項４】
前記表面緻密層は、波長１．５μｍにおける反射率が、０．５より大きい請求項１〜３のいずれか１項に記載のエンジン燃焼室構造。
【請求項５】
前記表面緻密層は、波長２．５μｍにおける輻射率が０．５より大きい請求項１〜４のいずれか１項に記載のエンジン燃焼室構造。
【請求項６】
前記表面緻密層は、厚さが２０μｍ以下である請求項１〜５のいずれか１項に記載のエンジン燃焼室構造。
【請求項７】
前記断熱多孔質層は、熱伝導率が０．５Ｗ／（ｍ・Ｋ）以下である請求項１〜６のいずれか１項に記載のエンジン燃焼室構造。
【請求項８】
前記断熱多孔質層は、熱容量が１０００ｋＪ／（ｍ３・Ｋ）以下である請求項１〜７のいずれか１項に記載のエンジン燃焼室構造。
【請求項９】
前記断熱多孔質層は、厚さが２０〜５００μｍである請求項１〜８のいずれか１項に記載のエンジン燃焼室構造。
【請求項１０】
前記断熱多孔質層と、前記表面緻密層との間に、第一接合層を有する請求項１〜９のいずれか１項に記載のエンジン燃焼室構造。
【請求項１１】
前記断熱部材は、ピストン、バルブヘッド、シリンダヘッドの少なくともいずれかのエンジン燃焼室を構成する表面に備えられた請求項１〜１０のいずれか１項に記載のエンジン燃焼室構造。
【請求項１２】
自動車を構成する部材のうち、エンジンの吸気ガスまたは排気ガスが流通する流路の内壁に、セラミックスにより形成された断熱多孔質層と、
前記断熱多孔質層の表面に、セラミックスにより形成された表面緻密層と、
を含む断熱部材を備え、
さらに、前記エンジンの吸気ガスまたは排気ガスが流通する流路の前記内壁と、前記断熱多孔質層との間に、前記断熱多孔質層と前記流路との中間の熱膨張係数を有し、前記断熱多孔質層と前記流路よりも低いヤング率の第二接合層を有する、流路の内壁構造。
【請求項１３】
前記表面緻密層は、開気孔率が５％以下であり、
前記断熱多孔質層は、前記表面緻密層の前記開気孔率よりも気孔率が大きい請求項１２に記載の流路の内壁構造。
【請求項１４】
前記表面緻密層の厚さが前記断熱多孔質層の厚さの１〜５０％である請求項１２または１３に記載の流路の内壁構造。
【請求項１５】
前記断熱多孔質層と、前記表面緻密層との間に、第一接合層を有する請求項１２〜１４のいずれか１項に記載の流路の内壁構造。
【発明の詳細な説明】
【技術分野】
【０００１】
本発明は、エンジンの熱効率を向上させ、燃費を向上させるためのエンジン燃焼室構造に関する。特に、燃料の燃焼炎からエンジン燃焼室を構成する内壁への輻射による伝熱に注目したエンジン燃焼室構造に関する。また、自動車を構成する部材のうち、エンジンの吸気ガスまたは排気ガスが流通する流路の内壁構造に関する。
【背景技術】
【０００２】
エンジンの熱効率を向上させ、燃費を向上させることが望まれている。特許文献１は、エンジン燃焼室に用いるための、低熱伝導・低熱容量であり且つ剥離・脱落等のない耐久性・信頼性に優れた膜を供給することを目的とする。特許文献１では、エンジンの熱効率の向上のために、エンジン燃焼室を構成する内壁に膜厚が２０μｍより大きく５００μｍ以下であり且つ空孔率が２０％以上である陽極酸化被膜を形成している。【０００３】
特許文献２は、断熱性能を向上させた構造部材を備える内燃機関を提供することを目的とする。特許文献２の内燃機関には、排気通路の内壁に隣接して断熱材が配置され、高温の作動ガス（排気ガス）が、断熱材が形成する流路に沿って流れる。断熱材は、平均粒径が０．１〜３μｍの球状メソポーラスシリカ粒子の各粒子が接合材を解して密集した状態で積層されている。球状メソポーラスシリカ粒子には、平均孔径１〜１０ｎｍのメソ孔が無数に形成されている。
【先行技術文献】
【特許文献】
【０００４】
【特許文献１】特開２０１０−２４９００８号公報
【特許文献２】特開２０１１−５２６３０号公報
【発明の概要】
【発明が解決しようとする課題】
【０００５】
特許文献１，２のいずれの技術も、エンジンの熱効率を向上させるために、多孔質な材料をエンジン燃焼室の内壁に形成させて、低熱伝導率や低熱容量を実現しようとしている。しかしながら、エンジン燃焼室の内壁が多孔質であると、燃焼炎からの輻射伝熱を抑制できず（輻射伝熱が透過してしまい）、エンジン構成部材へと熱が伝わりやすくなるおそれがある。また、特に直噴エンジンの場合、エンジン燃焼室内に噴射した燃料は多孔質な内壁に吸収され、正常な燃焼反応が起きない場合がある。特許文献１では燃料が気孔を塞ぐことも起こりうる。【０００６】
また、燃焼室の内壁が多孔質であると、燃焼後に発生する微量の煤や燃料中の不純物の燃えかすが付着しやすくなる可能性があり、断熱多孔質層の性状が変化し、熱伝導率や熱容量が高くなる恐れがある。特許文献１には、陽極酸化被膜の最表面において、緻密層で空孔の開口部を封じることについての記載がある。しかしながら、低伝熱性、低体積熱容量の観点から緻密層は薄い方が好ましいとされており、開口部を封じても熱特性上の差異は認められないと記載されている。【０００７】
特許文献１，２のいずれの技術も、燃焼ガスの熱がエンジン燃焼室の内壁の最表面に伝わった後、エンジン構成部材の内部へ熱が逃げるのを抑制するために、断熱性の高い膜を形成する。しかし、燃焼ガスの熱がエンジン燃焼室の内壁の最表面に伝わることを抑制する場合に、燃焼炎から内壁の最表面への輻射による伝熱に注目していない。【０００８】
本発明の課題は、エンジンの熱効率を向上させ、燃費を向上させるためのエンジン燃焼室構造、およびエンジンの吸気ガスまたは排気ガスが流通する流路の内壁構造を提供することにある。
【課題を解決するための手段】
【０００９】
本発明者らは、エンジン燃焼室構造が、表面緻密層と、断熱多孔質層とを含む断熱部材を備えることにより、上記課題を解決しうること見出した。すなわち、本発明によれば、以下のエンジン燃焼室構造、およびエンジンの吸気ガスまたは排気ガスが流通する流路の内壁構造が提供される。【００１０】
［１］  エンジン構成部材のエンジン燃焼室を構成する内壁に、セラミックスにより形成された断熱多孔質層と、前記断熱多孔質層の表面に、セラミックスにより形成された表面緻密層と、を含む断熱部材を備え、さらに、前記エンジン構成部材の前記内壁と、前記断熱多孔質層との間に、前記断熱多孔質層と前記エンジン構成部材との中間の熱膨張係数を有し、前記断熱多孔質層と前記エンジン構成部材よりも低いヤング率の第二接合層を有する、エンジン燃焼室構造。
【００１１】
［２］  前記表面緻密層は、開気孔率が５％以下であり、前記断熱多孔質層は、前記表面緻密層の前記開気孔率よりも気孔率が大きい前記［１］に記載のエンジン燃焼室構造。【００１２】
［３］  前記表面緻密層の厚さが前記断熱多孔質層の厚さの１〜５０％である前記［１］または［２］に記載のエンジン燃焼室構造。【００１３】
［４］  前記表面緻密層は、波長１．５μｍにおける反射率が、０．５より大きい前記［１］〜［３］のいずれかに記載のエンジン燃焼室構造。【００１４】
［５］  前記表面緻密層は、波長２．５μｍにおける輻射率が０．５より大きい前記［１］〜［４］のいずれかに記載のエンジン燃焼室構造。【００１５】
［６］  前記表面緻密層は、厚さが２０μｍ以下である前記［１］〜［５］のいずれかに記載のエンジン燃焼室構造。【００１６】
［７］  前記断熱多孔質層は、熱伝導率が０．５Ｗ／（ｍ・Ｋ）以下である前記［１］〜［６］のいずれかに記載のエンジン燃焼室構造。【００１７】
［８］  前記断熱多孔質層は、熱容量が１０００ｋＪ／（ｍ３・Ｋ）以下である前記［１］〜［７］のいずれかに記載のエンジン燃焼室構造。【００１８】
［９］  前記断熱多孔質層は、厚さが２０〜５００μｍである前記［１］〜［８］のいずれかに記載のエンジン燃焼室構造。【００１９】
［１０］  前記断熱多孔質層と、前記表面緻密層との間に、第一接合層を有する前記［１］〜［９］のいずれかに記載のエンジン燃焼室構造。【００２１】
［１１］  前記断熱部材は、ピストン、バルブヘッド、シリンダヘッドの少なくともいずれかのエンジン燃焼室を構成する表面に備えられた前記［１］〜［１０］のいずれかに記載のエンジン燃焼室構造。
【００２２】
［１２］  自動車を構成する部材のうち、エンジンの吸気ガスまたは排気ガスが流通する流路の内壁に、セラミックスにより形成された断熱多孔質層と、前記断熱多孔質層の表面に、セラミックスにより形成された表面緻密層と、を含む断熱部材を備え、さらに、前記エンジンの吸気ガスまたは排気ガスが流通する流路の前記内壁と、前記断熱多孔質層との間に、前記断熱多孔質層と前記流路との中間の熱膨張係数を有し、前記断熱多孔質層と前記流路よりも低いヤング率の第二接合層を有する、流路の内壁構造。
【００２３】
［１３］  前記表面緻密層は、開気孔率が５％以下であり、前記断熱多孔質層は、前記表面緻密層の前記開気孔率よりも気孔率が大きい前記［１２］に記載の流路の内壁構造。
【００２４】
［１４］  前記表面緻密層の厚さが前記断熱多孔質層の厚さの１〜５０％である前記［１２］または［１３］に記載の流路の内壁構造。
【００２５】
［１５］  前記断熱多孔質層と、前記表面緻密層との間に、第一接合層を有する前記［１２］〜［１４］のいずれかに記載の流路の内壁構造。
【発明の効果】
【００２７】
断熱部材が、表面緻密層と断熱多孔質層との２層を含むことにより、エンジン燃焼室の断熱性能を向上させ、燃費を向上させることができる。表面緻密層が開気孔率５％以下の緻密な層であることにより、輻射を反射するとともに、燃料の吸収や燃えカスの付着を抑制することができる。表面緻密層の下に多孔質な断熱多孔質層を配置することにより、エンジン構成部材への伝熱を抑制することができる。また、エンジンの吸気ガスまたは排気ガスが流通する流路に、表面緻密層と断熱多孔質層との２層を含む断熱部材を備えることにより、断熱効果を向上させることができる。
【図面の簡単な説明】
【００２８】
【図１】表面緻密層と断熱多孔質層とを含む断熱部材を示す模式図である。
【図２】エンジンの一実施形態を示す模式図である。
【図３】エンジン燃焼室のガス温度と内壁の温度とを示す図である。
【発明を実施するための形態】
【００２９】
以下、図面を参照しつつ本発明の実施の形態について説明する。本発明は、以下の実施形態に限定されるものではなく、発明の範囲を逸脱しない限りにおいて、変更、修正、改良を加え得るものである。
【００３０】
図１及び図２を用いて本発明の断熱部材１を備えるエンジン燃焼室構造を説明する。本発明のエンジン燃焼室構造は、エンジン構成部材２１（シリンダブロック１１、シリンダヘッド１３、ピストン１４等）のエンジン燃焼室２０を構成する内壁に、セラミックスにより形成された断熱多孔質層３と、断熱多孔質層３の表面に、セラミックスにより形成された表面緻密層２と、を含む断熱部材１を備える。断熱部材１の表面緻密層２は、開気孔率が５％以下であり、断熱多孔質層３は、表面緻密層２の開気孔率よりも気孔率（開気孔率＋閉気孔率）が大きいことが好ましい。接合層４は、図１に示すように、表面緻密層２と断熱多孔質層３、エンジン構成部材２１と断熱多孔質層３との間に設けられたそれぞれの層を接合するための層である。接合層４がない構成とすることもできる。
【００３１】
断熱部材１が、緻密な表面緻密層２と、表面緻密層２の下に多孔質な断熱多孔質層３との２層を含むことにより、エンジン燃焼室２０の断熱性能を向上させることができる。表面緻密層２の厚さは、断熱多孔質層３の厚さの１〜５０％であることが好ましい。エンジン燃焼室２０内における燃料の燃焼時には、表面緻密層２により輻射を反射し、排気時には、表面緻密層２から熱を放射することができる。また、断熱多孔質層３は、表面緻密層２から、エンジン構成部材２１への伝熱を抑制することができる。このため、燃料の燃焼時には、エンジン構成部材２１の内壁（エンジン燃焼室２０を構成する壁面）の温度が、エンジン燃焼室２０のガス温度に追従して上昇しやすくなる。
【００３２】
図３は、エンジン燃焼室２０のガス温度とエンジン構成部材２１の内壁の温度とを示す図である。横軸は、エンジン１０のクランク角度であり、時間に対応する。縦軸は、温度である。断熱部材１を備えない内壁の温度は、エンジン燃焼室２０のガス温度と大きく乖離する。一方、断熱部材１を備えた内壁の温度は、エンジン燃焼室２０のガス温度に追従して上昇しやすい。このように、内壁の温度が、エンジン燃焼室２０のガス温度に追従しやすい場合、熱損失を低減することができるとともに、吸気の過熱を防止することができるようになる。
【００３３】
（表面緻密層）
次に、断熱部材１の表面緻密層２について具体的に説明する。表面緻密層２は、多孔質な構造の断熱多孔質層３の表面に形成された緻密なセラミックスの層である。表面緻密層２は、開気孔率が５％以下であることが好ましく、０．０１〜４％であることがより好ましく、０．０１〜３％であることがさらに好ましい。このようにすることにより、燃料の燃焼時のガス（燃料）の対流による熱伝達を防止することができる。また緻密なため、燃料の吸収やスス、燃えカスが付着しにくい。
【００３４】
表面緻密層２は、燃料の燃焼時には、熱源である燃焼炎からの輻射伝熱を抑制する材料で構成される。また、表面緻密層２は、燃料の排気時には、自身の熱を放射しやすいものであることが好ましい。これには、ウイーンの変位則（λｍＴ＝２８９８［μｍ・Ｋ］：ここで、λｍは最大放射強度を示す波長、Ｔは温度を示す。）から予想される波長領域での反射率、輻射率を制御することが望ましい。すなわち、反射率は２μｍより小さい波長において大きいことが好ましく、輻射率は２μｍより大きい波長において大きいことが好ましい。これにより、燃焼直後〜燃焼前期にはエンジン燃焼室２０を構成する内壁への輻射伝熱を抑制することができ、また、燃焼後期〜排気工程で、低温になると表面緻密層２から排気ガスへと熱を放射することで、次に導入される吸気ガスが高温になることを防止することができる。
【００３５】
表面緻密層２は、波長１．５μｍにおける反射率が、０．５より大きいことが好ましく、波長１〜２μｍにおける反射率が０．５より大きいことがより好ましく、波長１〜２μｍにおける反射率が０．６より大きいことがさらに好ましい。このような反射率を有することにより、断熱多孔質層３への熱の伝導を抑制することができる。表面緻密層２は、波長２．５μｍにおける輻射率が０．５より大きいことが好ましく、０．６より大きいことがより好ましく、０．７より大きいことがさらに好ましい。また、このような輻射率を有することにより、熱せられた表面緻密層２を冷めやすくすることができる。
【００３６】
表面緻密層２は、熱容量が３０００ｋＪ／（ｍ３・Ｋ）以下であることが好ましく、１．２〜２０００ｋＪ／（ｍ３・Ｋ）であることがより好ましく、１．２〜１０００ｋＪ／（ｍ３・Ｋ）であることがさらに好ましい。低熱容量（薄膜、小体積）であることにより、エンジン構成部材２１の内壁の温度がエンジン燃焼室２０内のガス温度に追随しやすくなる。ガス温度と断熱部材１（表面緻密層２）との温度差が小さくなり、冷却損失を低減することができる。
【００３７】
表面緻密層２は、熱伝導率が３Ｗ／（ｍ・Ｋ）以下であることが好ましく、０．０２〜２Ｗ／（ｍ・Ｋ）であることがより好ましく、０．０２〜１Ｗ／（ｍ・Ｋ）がさらに好ましい。熱伝導率をこの範囲とすることにより、断熱多孔質層３への熱の伝導を抑制することができる。
【００３８】
表面緻密層２は、厚さが２０μｍ以下であることが好ましい。厚さをこの範囲とすることにより、断熱多孔質層３への熱の伝導を抑制することができる。
【００３９】
表面緻密層２は、セラミックスで形成することができ、例えば、アルミナ、シリカ、ムライト、窒化けい素、炭化けい素、チタニア、ジルコニア、酸化亜鉛、ガラスなどが挙げられる。
【００４０】
（断熱多孔質層）
次に、断熱多孔質層３について説明する。断熱多孔質層３は、多孔質のセラミックスの層であり、表面緻密層２の開気孔率よりも気孔率（開気孔率＋閉気孔率）が大きいことが好ましい。断熱多孔質層３の気孔率は、１０〜９９％であることが好ましく、２０〜９０％であることがより好ましい。このようにすることにより、表面緻密層２からエンジン構成部材２１への熱伝導を抑制することができる。
【００４１】
断熱多孔質層３は、熱伝導率が０．５Ｗ／（ｍ・Ｋ）以下であることが好ましく、０．０２〜０．３Ｗ／（ｍ・Ｋ）であることがより好ましく、０．０２〜０．１Ｗ／（ｍ・Ｋ）であることがさらに好ましい。低熱伝導率であることにより、表面緻密層２からエンジン構成部材２１への伝熱を抑制することができる。
【００４２】
断熱多孔質層３は、熱容量が１０００ｋＪ／（ｍ３・Ｋ）以下であることが好ましく、１．２〜８００ｋＪ／（ｍ３・Ｋ）であることがより好ましく、１．２〜５００ｋＪ／（ｍ３・Ｋ）であることがさらに好ましい。低熱容量であることにより、燃料の排気後、エンジン燃焼室２０内のガス温度を低下させやすい。これにより、燃料の圧縮比を向上させることができる。
【００４３】
断熱多孔質層３は、ヤング率が５０ＧＰａ以下であることが好ましい。低ヤング率であると、エンジン構成部材２１と表面緻密層２との熱膨張のミスマッチによる熱応力や熱衝撃を緩和することができる。
【００４４】
断熱多孔質層３は、厚さが２０〜５００μｍであることが好ましい。断熱多孔質層３をこの範囲とすることにより、断熱効果を十分なものとすることができる。
【００４５】
断熱多孔質層３は、セラミックスであり、例えば、シリカ、アルミナ、ジルコニア、チタニア、窒化けい素、炭化けい素、ガラス等を用いることができる。これらは熱伝導率の観点から非晶質であることが好ましい。また、これらいずれかの単一材料で構成されても良いし、少なくとも２種以上の材料の混合物であっても良い。混合物の例として、シリカのマトリックス中にシリカ−アルミナファイバーと中空のシリカ−アルミナ粒子が分散した複合材料などが挙げられる。
【００４６】
（接合層）
表面緻密層２と断熱多孔質層３とが、直接接合している構成としてもよいが、図１に示すように、表面緻密層２と断熱多孔質層３との間に接合層４（第一接合層４ａ）を有するように構成してもよい。また、エンジン燃焼室２０を構成するエンジン構成部材２１の内壁と、断熱多孔質層３との間に、接合層４（第二接合層４ｂ）を有するように構成してもよい。
【００４７】
接合層４は、熱抵抗が高いことが好ましく、具体的には、１０−６〜１０ｍ２Ｋ／Ｗであることが好ましく、１０−５〜１０ｍ２Ｋ／Ｗであることがより好ましく、１０−４〜１０ｍ２Ｋ／Ｗであることがさらに好ましい。このような接合層４を形成することにより、断熱効果をさらに十分なものとすることができる。また、接合層４を形成することにより、被接合体の熱膨張のミスマッチを緩衝し、耐熱衝撃性・耐熱応力性を向上させることができる。そのために、接合層４の熱膨張係数はそれぞれ接する層（第一接合層４ａでは表面緻密層２と断熱多孔質層３、第二接合層４ｂでは断熱多孔質層３とエンジン構成部材２１）の中間の熱膨張係数を有することが好ましい。また、接合層４のヤング率はそれぞれ接する層（第一接合層４ａでは表面緻密層２と断熱多孔質層３、第二接合層４ｂでは断熱多孔質層３とエンジン構成部材２１）よりも低いヤング率が好ましい。さらに、接合層４はそれぞれ接する層（第一接合層４ａでは表面緻密層２と断熱多孔質層３、第二接合層４ｂでは断熱多孔質層３とエンジン構成部材２１）の相互の反応を抑制するような材料組成とすることが好ましく、これにより、耐酸化性や耐反応性が向上し、断熱部材の耐久性が向上する。
【００４８】
接合層４としては、接着機能を有するもの、あるいは、薄膜として形成させることが可能な材料が好ましく、例えば、無機接着剤、コロイド溶液、プレセラミックポリマー、ろう材、めっき膜などが挙げられる。
【００４９】
（断熱部材の配置）
次に、断熱部材１の配置について説明する。断熱部材１は、エンジン燃焼室２０を構成するエンジン構成部材２１の表面（内壁）に備えられる。具体的には、ピストン１４の上面１４ｓ、吸気バルブ１６のバルブヘッド１６ｓ、排気バルブ１７のバルブヘッド１７ｓ、シリンダヘッド１３の底面１３ｓ等が挙げられる。
【００５０】
図２は、エンジンを示す一実施形態である。エンジン１０は、シリンダ１２が形成されたシリンダブロック１１と、シリンダブロック１１の上面を覆って取り付けられたシリンダヘッド１３とを有して構成されている。シリンダブロック１１のシリンダ１２内には、ピストン１４が上下方向に摺動可能に備えられている。
【００５１】
シリンダヘッド１３には、点火プラグ１５が取り付けられている。また、吸気バルブ１６、排気バルブ１７が取り付けられており、吸気バルブ１６は、シリンダヘッド１３に形成された吸気通路１８を、排気バルブ１７は、排気通路１９を開閉するように構成されている。
【００５２】
図２に示すように、ピストン１４の上面１４ｓに、断熱部材１が備えられている。また、吸気バルブ１６のバルブヘッド１６ｓ、排気バルブ１７のバルブヘッド１７ｓ、シリンダヘッド１３の底面１３ｓにも同様に、断熱部材１が備えられている。これらの面は、エンジン燃焼室２０を形成する面であり、これらの面に、断熱部材１を備えることにより、断熱性能を向上させることができる。
【００５３】
シリンダ１２、シリンダヘッド１３、ピストン１４によって囲まれたエンジン燃焼室２０に、吸気バルブ１６の開弁により燃料が供給され、点火プラグ１５によって点火されることにより、燃焼される。この燃焼により、ピストン１４が押し下げられる。燃焼により発生した排気ガスは、排気バルブ１７が開弁されることにより排気される。
【００５４】
なお、断熱部材１は、エンジン燃焼室２０を構成するエンジン構成部材２１の表面（内壁）以外にも備えることができる。例えば、自動車を構成する部材のうち、エンジン１０の吸気ガスまたは排気ガスが流通する流路の内壁に、この断熱部材１を備えることができる。また、断熱多孔質層３と、表面緻密層２との間に、第一接合層４ａを有する内壁構造とすることもできる。さらに、エンジン１０の吸気ガスまたは排気ガスが流通する流路の内壁と、断熱多孔質層３との間に、第二接合層４ｂを有する内壁構造とすることもできる。
【００５５】
吸気ガスまたは排気ガスが流通する流路の内壁に、この断熱部材１を備えた場合も、断熱部材１の表面緻密層２は、開気孔率が５％以下であり、断熱多孔質層３は、表面緻密層２の開気孔率よりも気孔率（開気孔率＋閉気孔率）が大きいことが好ましい。また、表面緻密層２の厚さは、断熱多孔質層３の厚さの１〜５０％であることが好ましい。表面緻密層２は、波長１．５μｍにおける反射率が、０．５より大きいことが好ましく、波長２．５μｍにおける輻射率が０．５より大きいことが好ましい。また、表面緻密層２は、厚さが２０μｍ以下であることが好ましい。さらに、断熱多孔質層３は、熱伝導率が０．５Ｗ／（ｍ・Ｋ）以下であることが好ましく、熱容量が１０００ｋＪ／（ｍ３・Ｋ）以下であることが好ましい。また、断熱多孔質層３は、厚さが２０〜５００μｍであることが好ましい。
【００５６】
断熱部材１を適用する、自動車等のエンジン１０の吸気ガスまたは排気ガスが流通する流路としては、例えば、吸気管、インテークマニホールド、エキゾーストマニホールド、排気管、触媒コンバーター、マフラーなどが挙げられる。
【００５７】
吸気側の流路（吸気管、インテークマニホールド）に断熱部材１を備えた場合、流路の外部からの熱を流路内の空気（吸気ガス）に伝えないことで、エンジン１０内に流入する空気の温度が高くなることを抑えることができる。これにより、ノッキングが起こりにくくなり、結果として燃費向上に繋がる。排気側の流路（エキゾーストマニホールド、排気管、触媒コンバーター）に断熱部材１を備えた場合、排気ガスの温度が低くなることを抑え、触媒を早期に暖機することができるため、排気ガスの浄化性能が向上する。また、ターボチャージャーを装着する場合には、排気エネルギーが増大するため、結果として燃費向上に繋がる。
【００５８】
（製造方法）
次に、断熱部材１の製造方法について説明する。表面緻密層２は、断熱多孔質層３を形成した上に、スパッタ法、ＰＶＤ法、ＥＢ−ＰＶＤ法、ＣＶＤ法、ＡＤ法、溶射、プラズマスプレー法、コールドスプレー法、めっき、湿式コーティング後の熱処理などで形成することができる。または、表面緻密層２として緻密な薄板を別途作製し、断熱多孔質層３とともに下地材に貼り付けてもよい。
【００５９】
断熱多孔質層３は、表面緻密層２と同様な方法を用いることができるが、多孔質膜を形成する上では、特に、ＥＢ−ＰＶＤ法、溶射法、ＣＶＤ法、湿式コーティング後の熱処理などの多孔質膜の形成法を用いることができる。または、電気泳動堆積、移流集積などにより粒子を堆積させた後に熱処理をする多孔質膜の形成法を用いてもよい。あるいは、多孔質な薄板を別途作製して、接合材により下地材に貼り付けてもよい。さらに、結合材にフィラー粒子（中空が好ましい）や造孔材を加えて混練したペーストを塗布し、硬化させ、あるいは、熱処理して断熱多孔質層３としてもよい。
【００６０】
表面緻密層２および断熱多孔質層３は、エンジン構成部材２１の上に、まず、断熱多孔質層３を形成させ、その後、表面緻密層２を形成させても良いし、同時に形成させても良い。
【００６１】
断熱多孔質層３と、表面緻密層２との間に、第一接合層４ａ、エンジン燃焼室２０を構成する内壁と、断熱多孔質層３との間に、第二接合層４ｂを有するように構成することもできる。このように、接合層４（第一接合層４ａ、第二接合層４ｂ）を設ける場合は、エンジン構成部材２１の上に、第二接合層４ｂを塗布（例えば、無機接着剤、コロイド溶液、プレセラミックポリマー、ろう材の場合）、あるいは、めっき製膜し、その上に断熱多孔質層３を前述のような方法で形成し、第一接合層４ａを第二接合層４ｂと同様に形成し、表面緻密層２を前述のような方法で形成する。
【実施例】
【００６２】
以下、本発明を実施例に基づいてさらに詳細に説明するが、本発明はこれらの実施例に限定されるものではない。【００６３】
（参考例１）
表面緻密層２として、直径９０ｍｍ×厚さ２０μｍのジルコニア緻密体を用意した。このジルコニア緻密体は、以下のように作製した。まず、イットリア３ｍｏｌ％を含む部分安定化ジルコニア粉末に、バインダーとしてのポリビニルブチラール樹脂（ＰＶＢ）、可塑剤としてのＤＯＰ、溶剤としてのキシレンおよび１−ブタノールを加え、ボールミルにて３０時間混合し、グリーンシート成形用スラリーを調製した。このスラリーに真空脱泡処理を施すことにより、粘度を４０００ｃｐｓに調整した後、ドクターブレード装置によって焼成後の厚さが２０μｍとなるように薄肉板用グリーンシートを形成し、直径９０ｍｍの寸法に外形切断を行った。この成形体を１５００℃、３時間にて焼成し、更に、この焼成物を２ｍｍ厚の多孔質のアルミナ平板で挟み込み、１５００℃、５時間にて再焼成して反りを修正し、表面緻密層２となるジルコニア緻密体とした。
【００６４】
次に、断熱多孔質層３の前駆体として、コロイダルシリカ、フライアッシュバルーン（中空のアルミナシリカ質球状粒子）、セラミックファイバーを混合したペーストを調製した。下地材（エンジン構成部材２１に相当）として、アルミニウム合金板（直径９０ｍｍ×厚さ１ｍｍ）を用意し、断熱多孔質層３の前駆体のペーストを下地材に塗布しその上に表面緻密層２のジルコニア緻密体を載せ、加圧して接着し、さらに１５０℃で熱処理することで、硬化させた。【００６５】
表面緻密層２は、開気孔率が１％、その厚さが２０μｍであった。また、断熱多孔質層３は、気孔率が５４％で表面緻密層２の開気孔率より高く、その厚さが４５０μｍであった。【００６６】
（参考例２）
表面緻密層２として、直径９０ｍｍ×厚さ２０μｍの酸化亜鉛緻密体を用意した。この酸化亜鉛緻密体は、以下のようにして作製した。まず、酸化亜鉛粉末に、バインダーとしてのポリビニルブチラール樹脂（ＰＶＢ）、可塑剤としてのＤＯＰ、溶剤としてのキシレンおよび１−ブタノールを加え、ボールミルにて３０時間混合し、グリーンシート成形用スラリーを調製した。このスラリーに真空脱泡処理を施すことにより、粘度を４０００ｃｐｓに調整した後、ドクターブレード装置によって焼成後の厚さが２０μｍとなるように薄肉板用グリーンシートを形成し、直径９０ｍｍの寸法に外形切断を行った。この成形体を１４００℃、３時間にて焼成し、更に、この焼成物を２ｍｍ厚の多孔質のアルミナ平板で挟み込み、１４００℃、５時間にて再焼成して反りを修正し、表面緻密層２となる酸化亜鉛緻密体とした。
【００６７】
次に、参考例１と同様に、断熱多孔質層３の前駆体として、コロイダルシリカ、フライアッシュバルーン（中空のアルミナシリカ質球状粒子）、セラミックファイバーを混合したペーストを調製した。下地材（エンジン構成部材２１に相当）として、アルミニウム合金板（直径９０ｍｍ×厚さ１ｍｍ）を用意し、断熱多孔質層３の前駆体のペーストを下地材に塗布しその上に表面緻密層２の酸化亜鉛緻密体を載せ、加圧して接着し、さらに１５０℃で熱処理することで、硬化させた。
【００６８】
表面緻密層２は、開気孔率が１％、その厚さが２０μｍであった。また、断熱多孔質層３は、気孔率が６３％で表面緻密層２の開気孔率より高く、その厚さが４００μｍであった。【００６９】
（実施例１）
下地材（エンジン構成部材２１に相当）として、アルミニウム合金板（直径９０ｍｍ×厚さ１ｍｍ）を用意し、第二接合層４ｂとしてめっきによりニッケル膜を製膜した。断熱多孔質層３の前駆体として、アルミナゾル、アッシュバルーン（中空のアルミナシリカ質球状粒子）、セラミックファイバーを混合したペーストを調製した。この前駆体を第二接合層４ｂを製膜した下地材に塗布し、４００℃で熱処理した。その上に、ＣＶＤ法により酸化亜鉛の緻密膜（表面緻密層２）を形成した。
【００７０】
表面緻密層２は、開気孔率が１％、その厚さが６μｍであった。また、断熱多孔質層３は、気孔率が６１％で表面緻密層２の開気孔率より高く、その厚さが４５０μｍであった。【００７１】
（比較例１：表面緻密層なし）
断熱多孔質層３の前駆体として、コロイダルシリカ、フライアッシュバルーン（中空のアルミナシリカ質球状粒子）、セラミックファイバーを混合したペーストを調製した。下地材（エンジン構成部材２１に相当）として、アルミニウム合金板（直径９０ｍｍ×厚さ１ｍｍ）を用意し、断熱多孔質層３の前駆体のペーストを下地材に塗布し、その上に表面緻密層２を載せずに、さらに１５０℃で熱処理することで、硬化させた。【００７２】
断熱多孔質層３は、気孔率が５５％、その厚さが４７０μｍであった。【００７３】
（評価方法）
多層構造の断熱部材１（表面緻密層２＋断熱多孔質層３）を表面に有するアルミニウム合金板における断熱性能を次のようにして評価した。ガスバーナーの火をアルミニウム合金板の断熱部材１側に近づけて、アルミニウム合金板の反対側に伝わる熱流量を測定し、同様にして比較用アルミニウム合金板（断熱部材なし）の熱流量を測定し、これらを比較した。【００７４】
具体的には、多層構造の断熱部材１を有するアルミニウム合金板（参考例１，２、実施例１）の断熱部材１がない側に熱流計を設置し、同様に、比較用の表面緻密層２のない断熱部材１を表面に施したアルミニウム合金板（比較例１）に熱流計を設置した。１つのガスバーナーの炎から等距離のところに、断熱部材１がガスバーナーの炎側にくるように配置し、それぞれを貫流する熱流量を計測した。参考例１，２、実施例１と比較例１の熱流量を比較したところ、参考例１は比較例１の９５％の熱流量であり、参考例２、実施例１は比較例１の９０％の熱流量であり、表面緻密層２があることで断熱性能が改善された。
【産業上の利用可能性】
【００７５】
本発明のエンジン燃焼室構造は、自動車等のエンジンに適用することができる。また、エンジンの吸気ガスまたは排気ガスが流通する流路の内壁にもこの構造の断熱部材を適用することができる。
【符号の説明】
【００７６】
１：断熱部材、２：表面緻密層、３：断熱多孔質層、４：接合層、４ａ：第一接合層、４ｂ：第二接合層、１０：エンジン、１１：シリンダブロック、１２：シリンダ、１３：シリンダヘッド、１３ｓ：底面、１４：ピストン、１４ｓ：（ピストンの）上面、１５：点火プラグ、１６：吸気バルブ、１６ｓ：バルブヘッド、１７：排気バルブ、１７ｓ：バルブヘッド、１８：吸気通路、１９：排気通路、２０：エンジン燃焼室、２１：エンジン構成部材。
【図１】
0005977759.tif 000002
【図２】
0005977759.tif 000003
【図３】
0005977759.tif 000004